(57)【要約】ブレスレットが、第一状態においてより小さい直径を有し、第二状態においてより大きな直径を有し、ブレスレットが第一状態の方に付勢され、ブレスレットが第一状態と第二状態の間で平行移動できるように、互いに対して平行移動可能であるように連結する複数の第一及び第二バングルを含むブレスレットとその組み立て又は製造方法。
2018518204.tif 000002
【特許請求の範囲】
【請求項１】
ブレスレットであって、
ブレスレットの外周を形成する複数の第一及び第二バングルであって、前記ブレスレットが少なくとも一つ直径を有し、前記第一及び第二バングルが交互に互いに隣接するように位置決めされ、前記ブレスレットが前記直径が第一寸法を有する第一状態と前記直径が第二寸法を有する第二状態との間で遷移可能であるように、隣接して位置決めされた前第一バングル及び第二バングルは互いに対して平行移動可能であり、前記第二寸法が前記第一寸法よりも大きい、複数の第一及び第二バングルを備え、
個々の前記第一バングルが曲面形状を有し、前記第一バングルは、
更に外周を有する卵形のベースと、
前記ベースの外周の周りに位置決めされて前記ベースから長手方向に延びる複数の第一アーム部材であって、前記第一アーム部材は、空隙が隣接する第一アーム部材の間で規定されるように前記ベースの外周の周りで互いに空間的に離れている複数の第一アーム部材と、を備え、
個々の前記第二バングルが曲面形状を有し、前記第二バングルは、
外周を有する卵形のベースと、
前記ベースの外周の周りに位置決めされ、前記ベースから長手方向に延びる複数の第二アーム部材であって、前記第二アーム部材は、空隙が隣接する第二アーム部材の間で規定されるように前記ベースの外周の周りで互いに空間的に離れている複数の第二アーム部材と、を備え、
前記第一バングルの前記第一アーム部材の各々が、隣接する前記第二バングルの前記第二アーム部材の間で規定される空隙を通して受け入れられ、平行移動される構造であって、更に前記第二バングルの前記第二アーム部材の各々が、隣接する前記第一バングルの前記第一アーム部材の間で規定される空隙を通して受け入れられ、平行移動される構造であることを特徴とするブレスレット。
【請求項２】
更に、前記第一及び第二バングルの各々に取り外し可能に連結されている組み立てリングを備え、個々の組み立てリングが前記第一及び第二バングルの周囲に配置されていることを特徴とする請求項１に記載のブレスレット。
【請求項３】
更に、前記第一及び第二バングルの内に位置決めされている複数のバネを備え、前記複数のバネが前記第一直径の方に前記ブレスレットを付勢し、前記第二直径の方に前記ブレスレットの伸張に抵抗する引っ張り力を提供することを特徴とする請求項１に記載のブレスレット。
【請求項４】
更に、個々の前記第一バングルの末端に固定されている複数の第一キャップと、個々の第二バングルの末端に固定されている複数の第二キャップとを備え、前記第一キャップが前記第一バングルの形状に対応する形状を有し、前記第二キャップが前記第二バングルの形状に対応する形状を有することを特徴とする請求項１に記載のブレスレット。
【請求項５】
第一バネが前記第一キャップと前記第二キャップとの間で位置決めされ、前記バネが前記第一及び第二バングルの互いに対する平行移動に抵抗することを特徴とする請求項４に記載のブレスレット。
【請求項６】
第二バネが前記第二キャップと前記第一バングルのべースとの間に位置決めされていることを特徴とする請求項４に記載のブレスレット。
【請求項７】
前記第二バネが、前記ブレスレットが第一状態にある場合、前記バングルの長手方向に沿った略中間点で前記第二バングルを維持することを特徴とする請求項６に記載のブレスレット。
【請求項８】
前記第二バネが、前記第一及び第二バングルの互いに対して平行移動することに抵抗することを特徴とする請求項６に記載のブレスレット。
【請求項９】
前記第一バングルの少なくとも幾つかの前記第一アーム部材が第一レセプタクルを含み、前記第一キャップが少なくとも一つの突起を含み、前記突起が前記第一レセプタクルによって固定的に受け入れられ構造であることを特徴とする請求項４に記載のブレスレット。
【請求項１０】
少なくとも幾つかの前記第一及び第二バングルが第二レセプタクルを含む表面を含んでいることを特徴とする請求項１に記載のブレスレット。
【請求項１１】
宝石が前記第二レセプタクル内に固定されていることを特徴とする請求項１０に記載のブレスレット。
【請求項１２】
ブレスレットの組み立て方法であって、
複数の第一バングルを提供する工程であって、
個々の第一バングルが、
外周を有する卵形のベースと、
前記ベースの外周の周りに位置決めされ、前記ベースから長手方向に延びる複数の第一アーム部材であって、空隙が隣接位置の第一アーム部材の間で規定されるように前記ベースの外周の周りで互いに空間的に離れている複数の第一アーム部材と、を備える、複数の第一バングルを提供する工程と、
複数の第二バングルを提供する工程であって、
各第二バングルが、
外周を有する卵形のベースと、
前記ベースの外周の周りに位置決めされ、前記ベースから長手方向に延びる複数の第二アーム部材であって、空隙が隣接位置の第二アーム部材の間で規定されるように、前記ベースの外周の周りで互いに空間的に離れている複数の第二アーム部材と、備える、複数の第二バングルを提供する工程と、
前記第一及び第二バングルを連結する工程であって、
前記第二バングルの前記第二アーム部材の間の規定された隙間に前記第一バングルの前記第一アーム部材を挿入し、前記第一バングルの前記第一アーム部材の間の規定された隙間に前記第二バングルの前記第二アーム部材を挿入することによって、互いの摺動関係を保って前記第一及び第二バングルを連結する工程と、
を含むことを特徴とするブレスレットの組み立て方法。
【請求項１３】
複数のバネ部を提供する工程と、
前記第一及び第二バングルにバネ部を動作可能なように結合する工程であって、前記バネ部がお互いに関して押し付ける位置の方に前記第一及び第二バングルに強制的に付勢力を提供するように前記第一及び第二バングルにバネ部を動作可能なように結合する工程と、を更に含むことを特徴とする請求項１２の方法。
【請求項１４】
前記第一バングルの形状に対応する形状を有する第一キャップと、
前記第二バングルの形状に対応する形状を有する第二キャップと、
第一バネ部と、を提供する工程と、
ブレスレットの部分組み立て品を形成する工程であって、
前記第一バングルの一つの中に前記バネ部を配置することと、
前記第一バングルの一つの略中点に位置決めされるように前記第一バングルの一つを通して前記第二キャップを平行移動することと、
前記第一バングルが前記第二バングルの長手方向の略中点に位置決めされ、前記第二バングルが前記第一バングルの長手方向略中点に位置決めされるように、前記第一バングルの一つを通して前記第二バングルの一つを平行移動することと、
前記第二キャップに接触するように、前記第一及び第二バングルを通して第二バネ部を配置することと、
前記第二バングルの一つの略中点に位置決めされるように、前記第二バネ部に接触するように前記第一及び第二バングルを通して前記第一キャップを配置することと、
前記ブレスレットが交互になっている前記第一及び第二バングルの閉環を形成するように、組み立てが完了するまで前記ブレスレットの部分組み立て品を形成する工程に提供されるように、部分組み立て品に前記第一及び第二バングルを交互に追加すること、とによって、ブレスレットの部分組み立て品を形成する工程と、を更に含むことを特徴とする請求項１２に記載の方法。
【請求項１５】
前記第一キャップが前記第一バングルに永久的に固定されることを特徴とする請求項１４に記載の方法。
【請求項１６】
前記第一キャップが前記第一バングルにスポット半田付けされることを特徴とする請求項１５に記載の方法。
【請求項１７】
第一及び第二バングルの各々が前記第一及び第二バングルの周辺部に取り外し可能に結合される組み立てリングを含み、前記第一及び第二バングルを互いに対して配置する間に、前記組み立てリングを掴んで移動させることによって前記第一及び第二バングルが移動することを特徴とする請求項１２に記載の方法。
【請求項１８】
交互パターンで前記第一及び第二バングルの配置を完了した後、前記組み立てリングを取り外す工程を更に含み、前記第一及び第二バングルが前記ブレスレットを形成する閉環を形成することを特徴とする請求項１７に記載の方法。
【請求項１９】
前記第一及び第二バングルの表面にレセプタクルが形成されており、該レセプタクル内に宝石を固定する工程を、更に含むことを特徴とする請求項１８に記載の方法。
【請求項２０】
前記部分組み立て品が押し付けられ、前記第一バングルの少なくとも一つの長手方向に沿った中点に前記第一キャップの少なくとも一つがスポット半田付けされることを特徴とする請求項１４に記載の方法。
【発明の詳細な説明】
【技術分野】
【０００１】
関連出願の相互参照
本出願は、ならびに２０１５年５月１３日に出願された米国仮特許出願第６２／１６１，１５１号に関し、優先権を主張し、全体は参照によって本出願に完全に取り込まれる。
【背景技術】
【０００２】
本発明開示は、一般的なブレスレットに係り、特に、第一寸法及び第に寸法の間で移行可能な直径を有する輪形状を互いに形成する複数の部材を含む伸張性バングルブレスレッドに関する。
【０００３】
ブレスレッドは、手首や腕に装着する装飾用のバンドである。場合によっては、ブレスレットは、腕時計やチャーム（小さい飾り）などを支える機能を有している。堅固なブレスレットは、通常、金属、木、若しくはプラスチックなどから作られていて、通常バングルブレスレットと呼ばれている。ブレスレットは、一般的に少なくとも手首の幅の直径を持つサイズのものであるが、手の残りの部分よりは狭いので、装着したとき、手首からブレスレットが手の先端に滑り落ちないようになっている。
【０００４】
ブレスレットを通例装着する人の手首は、人の手の基部に近い骨格部分である。手首は、手首から遠い方に延びている手の部分よりも一般的にかなり細くなっている。手首は、手の他の部分よりも一般的に細いので、ブレスレットを手首の上に置くための各種の方法が考案されている。考案には、直接手首の上に置くように開いてから、その後閉じられるブレスレットが含まれる。また、伸張するブレスレットも含まれる。例えば、あるブレスレットは、手の末端を覆うように伸ばされ得る弾力性のプラスティックで作られていて、手首の上で元の縮小した状態に戻る。
【０００５】
手首の上にブレスレットを容易に置くことと、異なる寸法の人の手首に適合するように伸張可能で、美的外観を備えたブレスレットへの継続的需要がある。
【発明の概要】
【０００６】
ここで、バングルブレスレット及びその組み立て方法を開示する。
【０００７】
ブレスレットは、ブレスレットの周辺を形成する複数の第一及び第二バングルを含んでもよい。ブレスレットの直径が第一寸法を有する第一状態とブレスレットの直径が第二寸法を有する第二状態との間で遷移できるように、第一及び第二バングルは互いに隣接する位置に交互に配置され、互いに対して平行移動できるようにしてもよい。第一寸法は第二寸法より小さくしてもよい。組み立て時、複数の第一及び第二バングルが閉環形状を有するブレスレットを形成するように、第一及び第二バングルは曲線形状としてもよい。バングルは、ブレスレットの組み立て中にバングルの保持と取り扱いを容易するために取り外し可能に結合されている組み立てリングを含んでもよい。
【０００８】
第一及び第二バングルの各々は、組み立て品の長さが調節可能となるように互いに対して、バングルが平行移動可能である組み立て品を第一及び第二バングルが形成できるように、第一及び第二バングルの各々が互いに連結する構成としてもよい。特に、第一及び第二バングルの各々は、環状面を有する一般的に卵形のベースを含んでもよく、ベースの環状面の周りに、ベースから縦方向に延びるように複数のアーム（腕）部材が配置されている。隣接して配置されたアーム部材の間の隙間（ギャップ）若しくは空間（スペース）が明確になるように、アーム部材はお互いに離れていてもよい。第一バングルのアームは、第二バングル部材の間で明確な隙間若しくは空間を通して平行移動することによって第二バングルのアームの間及びそれに対してスライド（摺動）する構成としてもよい。同様に、第二バングルのアームは、第一バングル部材の間で明確な隙間若しくは空間を通して平行移動することによって第一バングルのアームの間及びそれに対してスライド（摺動）する構成としてもよい。その点に関して、第一及び第二バンドルを互いに結合させる場合、第一及び第二バングルを互いの方向に押し込み、組み立て品の全体の長さが短くなるようにしてもよい。逆に、拡大性或いは伸張性の力をお互いから引き離すために用いる場合、ブレスレットの直径が広がるように、組み立て品全体の長さ若しくは円周（環状面）が増大するようにしてもよい。そのような伸張力は、手を通して手首にブレスレットを嵌めることを容易にする。
【０００９】
付勢力は、ブレスレットの直径が静止又は収縮状態になる方向に付勢された静止或いは収縮状態にブレスレットが強制的に戻るようにすることができるので、ブレスレットが手首の上に、楽に嵌り、人の手首から滑り落ちないように防止することができる。特に、バネは、ブレスレットが収縮状態になっている静止状態の方向にブレスレットを強いる付勢力を提供するために第一及び第二バングルを動作可能なように結合してもよい。適切な付勢力が提供されるように、第一バングルに対応する形状を有する第一キャップ並びに第二バングルに対応する形状を有する第二キャップは、バングルに対してバネの適切な位置決めを容易にするために第一及び第二バングルを動作可能なように結合し、安定化することができる。
【００１０】
ブレスレットの組み立て方法は、複数の第一及び第二バングルを提供することと、バングルが閉環を形成することで組み立てが完了するまでに、交互パターンでバングルを組み立てることを含んでもよい。特に、複数の第一バングル及び第二バングルが提供されてもよい。第一及び第二バングルは、第二バングルの第二アーム部材間の規定された隙間に第一バングルの第一アーム部材を挿入し、第一バングルの第一アーム部材間の規定された隙間に第二バングルの第二アーム部材を挿入することによって互いの摺動関係を保って連結されてもよい。バネは、ブレスレットが収縮状態になっている静止状態の方向にブレスレットを付勢するために第一及び第二バングルを動作可能なように結合してもよい。
【００１１】
上記及び本発明の他の態様、特徴と長所は、付帯する図と連係して記載する以下の説明から明らかになり、同じ参照符号は同じ要素を定義する。
【図面の簡単な説明】
【００１２】
【図１】図１は、本開示に従った複数のバングルから成る組み立て済みブレスレットの斜視図である。
【図２Ａ】図２Ａは、第一バングルの斜視図である。
【図２Ｂ】図２Ｂは、Ａ−Ａ線を方向視する図２Ａのバングルの縮小・傾斜開放末端の斜視図である。
【図３】図３は、第一キャップの斜視図である。
【図４Ａ】図４Ａは、第二バングルの斜視図である。
【図４Ｂ】図４Ｂは、Ｂ−Ｂ線を方向視する図４Ａのバングルの縮小・傾斜開放末端の斜視図である。
【図５】図５は、第二バングルの斜視図である。
【図６】図６は、図３のバネと第一キャップについての図２Ａのバングルを示す図１のブレスレットの組み立ての最初の工程を示す概念図である。
【図７】図７は、図５の別のバネと第二キャップについて示されたバネと第一キャップを含む図２Ａの第一バングルを含む組み立てられた部分を示す図１のブレスレットの組み立ての第二の工程を示す概念図である。
【図８】図８は、図２Ａの別の第一バングルについて示された図２Ａの第一バングル並びに図４Ａの第二バングルを含む組み立てられた部分を示す図１のブレスレットの組み立ての第三工程を示す概念図である。
【図８Ａ】図８Ａは、図８の第三工程の後、図１のブレスレットの部分組み立て部分の正面図である。
【図９Ａ】図９Ａは、図８の第三工程の後、ブレスレットの組み立て部分図である。
【図９Ｂ】図９Ｂは、図１のブレスレットの組み立てにおける第四工程を説明する図９Ａで示された領域の拡大図である。
【図９Ｃ】図９Ｃは、図９Ｂの第四工程の完了後、ブレスレットの部分組み立て部分の斜視図である。
【図１０】図１０は、図１のブレスレットの組み立ての第四工程を示す概念図である。
【図１１】図１１は、図１のブレスレットの組み立て部分について、図４Ａに示された第二バングルを示す図１のブレスレットの組み立ての第五工程を示す概念図である。
【図１２】図１２は、複数の組み立てリング（輪）に結合して示された図１の組み立てられたバングルの概念図である。
【発明を実施するための形態】
【００１３】
発明の態様に対して詳細な参照を作成する。可能な限り、同じもしくは類似の参照番号が同じもしくは同等の部分あるいは段階に参照するために図と説明に用いられる。図は単純化された様式であって、スケールは正確ではない。単語「結合」および類似の用語は、直接あるいは直ぐの結合を意味する必要はなく、中間の要素あるいは装置を通しての結合を含む。簡便性及び明確性を目的としてのみ、図に関して、方向を示す用語（上・下等）あるいは動きを示す用語（前方・後方等）が用いられる。これらの用語及び類似の方向に関する用語は、いかなる態様においても、範囲を制限するものと解釈されるべきではない。同様に、他の実施例は、本発明の範囲を逸脱することなく用いられ、さらに詳細説明が制限の意味で取られてはならず、そして要素は異なる位置に配置されてもよく、あるいはさもなければ、それに要求される書面記載の必要性なく、添付請求項のように記載されてもよい。
【００１４】
いろいろな操作が、本発明の実施例の理解を助けることができるような方法において、複数の個別の操作が順次行われるが、説明の順序はこれらの操作が順序に依存することを示唆すると解釈されるべきではない。
【００１５】
図１〜１２を参照して、ここで、各々のデバイスの各種の実施例を記載する。
【００１６】
図１に、複数のバングルから成る組み立てブレスレットが説明されている。ブレスレット１００は、ブレスレット１００のバングルに形成された凹部又はレセプタクル（受部）２に嵌められている複数の飾りボタン又は宝石を含んでもよい。ブレスレット１００を形成するバングルは、複数の第一バングル１０２（図２Ａ）及び複数の第二バングル１０４（図４Ａ）を含んでもよい。ブレスレット１００は一般的に円形でよく、第一バングル及び第二バングルは数多くのバングル１０２、１０４の完成組み立て品がトロイダル（ドーナツ形）又は円形のブレスレットとなるような形の円周面又は周辺に適合する曲面を有するようにしてもよい。バングル１０２，１０４は、例えば、金属、プラスチックそしてあるいは木を含む任意の適切な材料から形成され得る。
【００１７】
図２Ａに示すように、第一バングル１０２は、一般的に卵形円筒形でよく、（キャップ１０ａに結合される前では）閉じている周辺末端「Ｐ」及び開いている遠位末端「Ｄ１」において一般的に楕円形ベース１０３から延びている複数のアーム１０２ａ〜１０２ｈ（例えば、８本）を含んでもよい。アーム１０２ａ〜１０２ｈは、卵形円筒形の表面又は外周面から材料片を取り外すことによって形成され得る。アーム１０２ａ〜１０２ｈは、一般的に互いに等間隔で離れていてよく、一般的に平行としてもよい。アーム１０２ａ〜１０２ｈの幾つかあるいは全てが、例えば、飾りボタン又は宝石を受け入れるために形成されたレセプタクル２を有してもよい。アーム１０２ａ〜１０２ｈの幾つかあるいは全てが、各アームの幅方向に広がる切り欠き又はベント（穴）４を含んでもよい。ベント４は、動作可能なように結合している別のバングルのアームに対して、アーム１０２ａ〜１０２ｈの重量を減らし、その平行移動を容易にする。示された図２Ａ、２Ｂでは、アーム１０２ａおよび１０２ｂのみがベント４を含んでいる。しかしながら、他の残りのアームが同様にベントを含んでもよい。ベント４は、さもなければ、該当ベントの無いバングル１０２の平行移動又は移動を妨げる可能性のある任意の空気遮断を阻止し得る。
【００１８】
アーム１０２ａ〜１０２ｈの形と間隔は、第一バングル１０２の部分断面斜視図である図２Ｂから、よりよく理解される。図２Ｂに示すように、アーム１０２ａ〜１０２ｈは、卵形ベース１０３から放射状に広がり、お互いから本質的に等距離間隔で離れていて、隣接する位置にあるアーム１０２ａ〜１０２ｈの各一対の間に空隙若しくは空間が形成されている。図２Ｂに示すように、８個の空隙若しくは空間がアーム１０２ａと１０２ｈの間に形成されている。バングル１０２の周辺又は外周面により近いアーム１０２ａ〜１０２ｈの部分は、卵形ベース１０３により近いアーム部分よりもより広くしてもよい。アーム部材１０２ａ及び１０２ｂは、一般的に三角形又は台形としてもよい。アーム部材１０２ａ〜１０２ｈは、一般的にキノコ型でもよく、一般的に同一幅のベース部分５ａ並びにベース部分５ａよりも一般的に幅がより広い上部部分５ｂを備えている。
【００１９】
図３に示すように、キャップ１０ａは、バングル１０２の形状に対応する形状を有しいているので、キャップ１０ａは、バングル１０２のアーム１０２ａ〜ｈの間で規定される空隙若しくは空間を遮断又は詰まらせることなくバングル１０２の末端に結合できる。言い換えれば、キャップ１０ａは、第一バングルのアーム１０２ａ〜ｈの間で規定されている空間若しくは空隙を通して、第二バングル１０４ａ〜ｈの平行移動を可能、又は許容しつつバングル１０２の中心を覆い又は開く構成となっている。
【００２０】
特に、キャップ１０ａは、自身の卵形コア３から延びるフィンガー（指）６ａ〜６ｈを有する一般的に卵形（楕円形）としてもよい。フィンガー６ａ〜６ｈは、フィンガー６ａ〜ｈが、アーム１０２ａ〜１０２ｈの間で規定されている空隙若しくは空間でかみ合いそして移動できるような大きさ及び間隔を有するようにしてもよい。突起８ａ〜８ｄは、一つ又はそれ以上のフィンガー６ａ〜６ｈから延びていて、バングル１０２を通してキャップ１０ａの継続する平行移動を突起８ａ〜８ｄ間の係合及びレセプタクル９ａ〜９ｄが妨げ又は防止するようにバングル１０２のレセプタクル９ａ〜９ｄの範囲で受け入れられる構成となっている。突起８ａ〜８ｄは、レセプタクル９ａ〜９ｄ内にパチンと嵌められてもよい。言い換えれば、突起８ａ〜８ｄは、締まり嵌め又は圧入又はレセプタクル９ａ〜９ｄとの摩擦嵌めを形成してもよい。突起８ａ〜８ｄの無いフィンガー６ｂ，６ｄ，６ｆ並びに６ｈは、各々が、バングル１０２に対して配置されたキャップ１０ａの保持を容易にするために第一バングルのアームと係合する構成である唇、或いは縁を含んでもよい。
【００２１】
図３に示すように、第一突起８ａはキャップ１０ａのフィンガー６ａから延び、第二突起８ｂはキャップ１０ａのフィンガー６ｃから延び、第三突起８ｃはフィンガー６ｅから延び、第一突起８ｄはフィンガー６ｇから延びるようにしてもよい。各突起８ａ〜８ｄは、レセプタクル８ａ−８ｄによって受け取られる構成としてもよい。図２Ａに戻って、アーム１０２ａはその遠位末端にレセプタクル９ａを含み、アーム１０２ｇはその遠位末端にレセプタクル９ｂを含み、アーム１０２ｂはその遠位末端にレセプタクル９ｃを含み、アーム１０２ｄはその遠位末端にレセプタクル９ｄを含んでもよい。
【００２２】
図４Ａに示すように、第二バングル１０４は、一般的に卵形円筒としてもよく、一般的に楕円形のベース１０５から延びる複数のアーム１０４ａ〜１０４ｈ（例えば、８個のアーム）を含んでもよい。アーム１０４ａ〜１０４ｈは、卵形円筒形の表面又は外周面から材料片を除くことによって形成され得る。アーム１０４ａ〜１０４ｈは、一般的に互いに等間隔で離れるようにしてもよく、一般的に平行としてもよい。アームの幾つかあるいは全ては、例えば、飾りボタン又は宝石を受けいれるために形成されたレセプタクル２を有してもよい。
【００２３】
また、ここで説明した第一バングル１０２及び第一キャップ１０ａに類似して、第二バングルのアーム１０４ｂ、１０４ｄ、１０４ｇ並びに１０４ｈは、第二バングル１０４の動きが第二キャップ１０ｂの動きに対応する結果となるように、一体構造を形成するために、例えば、スポット半田付け又は溶接によって、第二キャップ１０ｂのフィンガー１６ａ〜ｄ各々（図５）に係合して、固定するためのレセプタクル１８ａ〜ｄを含んでもよい。  
【００２４】
アーム１０４ａ〜１０４ｈの形と間隔は、第二バングル１０４の部分断面斜視図である図４Ｂからより良く理解される。図４Ｂに示すように、アーム１０４ａ〜１０４ｈは、卵形ベース１０５から放射状に広がり、お互いから本質的に等距離間隔で離れていて、隣接する位置にあるアーム１０４ａ〜１０４ｈの各一対の間に空隙若しくは空間が形成され得る。図４Ｂに示すように、空隙若しくは空間は、８個の空隙及び空間がアーム間で規定されるように各隣接するアーム対１０４ａ〜１０４ｈの間で形成されてもよい。バングル１０４の周辺又は外周面により近いアーム１０４ａ〜１０４ｈの部分は、卵形ベース１０５により近いアーム部分よりもより広くしてもよい。特に、各アーム１０３ａ〜１０４ｈは、ベース区画１１ａ及び区画１１ａよりも幅広い上部１１ｂを含んでもよい。隣接アーム１０４と１０４ｈの間には空隙「ｇ１」が含まれてもよく、隣接アーム１０４ｄと１０４ｅの間には空隙「ｇ２」が含まれてもよい。空隙「ｇ１」及び「ｇ２」は、第一バングル１０２の一般的に三角形又は台形のアーム１０２ａ〜１０２ｂ受け入れる構成としてもよい。更に、第一バングル１０２のアーム１０２ａ〜ｈ及び第二バングル１０４のアーム１０４ａ〜ｈは、バングル１０２，１０４が互いに結合し、平行移動できるように、各々のバングル１０２、１０４の各アームが他のバングル１０２，１０４の空隙若しくは空間に容易に受け入れられるような、例えば寸法及び形状の構成としてもよい。
【００２５】
図５に、第二キャップ１０ｂを示す。第二キャップ１０ｂは、キャップ１０ｂが、バングル１０４のアーム１０４ａ〜ｈ間で規定される空隙若しくは空間を通して、バングル１０２のアーム１０２ａ〜ｈの受け入れを遮断又は詰まらせること無く、バングル１０４の末端に動作可能なように結合できるようにバングル１０４の形状に対応する形状を有してもよい。特に、キャップ１０ｂは一般的に楕円形コア１２を含み、フィンガー１４ａ〜１４ｈはキャップ１０ｂから放射状に延びるようにしてもよい。突起１６ａ〜ｄは、各々フィンガー１４ａ、１４ｃ、１４ｅ及び１４ｇから延びるようにしてもよい。キャップ１０ｂは、第二バングル１０４の末端に固定されてもよい。
【００２６】
第一及び第二バングル１０２、１０４はいずれも付勢部材が、例えば、バネ２０で固定され得る空洞な内部を有している。第一及び第二キャップ１０ａ、１０ｂは、第一及び第二バングル１０２、１０４の中間点で例えばスポット半田によって、各キャップ１０ａ、１０ｂに隣接するように配置されたバネ２０の各々に固定されてもよい。バネ２０は、ブレスレット１００が静止又は収縮状態、即ち非伸張状態、となる方向に付勢されるように、連結バングル１０２、１０４が互いに対してバネ２０のぴんと張った状態又は延びる結果をもたらすようにキャップ１０ａ、１０ｂ又はバングル１０２、１０４に例えばスポット半田付けあるいは締め付けて、固定されてもよい。もう一つの方法として、第一及び第二バングル１０２、１０４で交互配置で連結して組み立てる場合、第一及び第二バングル１０２、１０４の相対的動きが組み立て品を長手方向における第一及び第二バングル１０２、１０４の相対的動きに抵抗するために両者の間のバネ２０を圧縮するように、バネ２０は、第一キャップ１０ａと第二バングル１０４の閉じられた末端との間で規定される空間内、及び第二キャップ１０ｂと第一バングル１０２の閉じられた末端との間で規定される空間内で自由であってもよい。
【００２７】
ここで、図６〜１２を参照して、ブレスレット１００の組み立て方法を説明する。第一及び第二バングル１０２、１０４の各々は、バングルの円周面又は周囲に結合されている組み立てリング（輪）３０を含んでもよい。組み立てリング３０は、ブレスレット１００を組み立てる間にバングル１０２、１０４の握りと保持を容易にすることができる。
【００２８】
図６に示すように、第一バングル１０２は、バネ２０及び第一キャップ１０ｂと関連して示されている。方向矢印Ｃで示されるように、バネ２０は、第一バングル１０２内に配置され、方向矢印Ｄで示されるように、続いて第一キャップ１０ｂは第一バングル１０２内には配置される。バネ２０は、伸張に抵抗するように引っ張り力（張力）を提供できる。バネ２０の第一末端２０ａは、例えば、半田付けなどで、ベース１０５に固定されてもよく、バネ２０の第二末端２０ｂは、キャップ１０ｂに固定されてもよい。図７に示すように、バネ２０及び第二キャップ１０ｂが第一バングル１０２内に位置決めされると、第二キャップ１０ｂのフィンガーは、バングル１０２の長手方向を通して、更に沿って平行移動できるようにアーム１０２ａ〜１０２ｈの間で規定される空隙若しくは空間内に配置される。
【００２９】
図７に示すように、次に、第二バングル１０４は、第二バングル１０４のアーム１０４ａ〜ｈ間で規定される空隙若しくは空間内に第一バングル１０２のアーム１０２ａ〜ｈが受け入れられるように第一バングル１０２に対して方向矢印Ｅに沿って平行移動され、第一バングル１０２のアーム１０２ａ〜ｈ間で規定される空隙若しくは空間内に第二バングル１０４のアーム１０４ａ〜ｈが受け入れられる。次に、別のバネ２０は、方向矢印Ｆに示されるように、それを通してバネ２０を平行移動することによって第二バングル１０４内に位置決めされてもよく、次に、第二キャップ１０ｂが、方向矢印Ｇによって示されるようにそれを通してキャップ１０ａを平行移動することによってバングル１０４内に配置されてもよい。次に、キャップ１０ａが、各々対応するアーム１０２ａ、１０２ｇ、１０２ｂ並びに１０２ｄの各々のレセプタクル９ａ〜９ｄに突起８ａ〜８ｄを固定することによって第一バングル１０２に固定され得る。
【００３０】
この工程が終了すると、図８に示すように、第一キャップ１０ａを含むブレスレット１００の組み立てられた部分４０が、遠位末端「Ｄ１］で第一バングル１０２に固定され、第二キャップ１０ｂが、遠位末端「Ｄ１］と第一バングル１０２の周辺末端「Ｐ１」との間で位置決めされる。第二キャップ１０ｂは、ベース１０３とキャップ１０ｂとの間に位置決めされる第一バネ２０と遠位末端「Ｄ１」とキャップ１０ｂとの間に位置決めされる第二バネとの間で位置決めされる。当該静止位置において、組み立てられた部分４０が実質的に図８のように示される。第一バングル１０２が、方向矢印「Ｘ］に沿って、すなわち第二バングルから外に向かって平行移動される場合、キャップ１０ｂと第一バングル１０２のべース１０３との間で位置決めされるバネ２０は押し付けられ、動きに抵抗する。第一バングル１０２の周辺末端Ｐ１と第二キャップ１０ｂとの間で位置決めされるバネ２０は、ブレスレット１００の組み立て中、組み立てられた部分４０が追加のバングルに連結され得るように静止状態にあるとき、第一及び第二バングル１０２、１０４の相対位置決めを維持する。特に、各々のバングル１０２、１０４のアーム１０２ａ〜ｈとアーム１０４ａ〜ｈとの間の空隙若しくは空間部分が、係合するために自由なままであり、追加のバングルを受け入れるように、ベース１０３とキャップ１０ｂとの間にあるバネ２０は、お互いに対してバングル１０２、１０４がさらに平行移動することを禁止する。
【００３１】
その後、図８に示すように、別の第一バングル１０２は、第一バングル１０２のアーム１０２ａ〜ｈが組み立てられた部分４０の第二バングル１０４のアーム１０４ａ〜ｈに係合できるように、方向矢印Ｈの方向の組み立てられた部分４０の方に追加の第一バングル１０２を平行移動することによって組み立てられた部分４０に連結される。その後、図８Ａに示すように、ブレスレット１００の部分組み立て部分５０が形成される。部分５０の末端は、図８Ａに示されるように、互いの方向に末端を保持して、押し付けられる。
【００３２】
いったん部分５０が押し付けられた状態になると、図９Ａに示されるように、キャップ１０ａは永久に当該位置に固定される。部分５０の拡大区画である図９Ｂを参照して、キャップ１０ａは、対応する突起が連結される第一バングル１０２の各々のアーム、例えば、突起８ａ〜ｄを半田付けすることによって第一バングル１０２の一つに固定される。図９Ｂに示されるように、突起８ａは、第一バングル１０２のアーム１０２ｄのレセプタクル９ｄ内に、例えば、半田付けによって固定される。その後、図９Ｃに示されるように、工程８で追加された追加第一バングル１０２は、第一バングル１０２へ第一キャップの固定を完了させ得るように、第一キャップ１０ａへの作業を容易にするために取り外しされてもよい。特に、突起８ａ〜ｄの無い残りのフィンガー、すなわち６ｂ、６ｄ、６ｆ並びに６ｈは、接触している第一バングル１０２の各々のアームに、例えば半田付けで、固定されてもよい。その後、図８に関して記載された工程で導入され、図９Ｃで示されたように取り外された追加第一バングル１０２は、再度、ブレスレットの組み立てられた連鎖（リンク）又は部分に追加される。この部分的に組み立てられたリンク若しくは部分は、バネ２０及び第二キャップ１０ｂに関して図１０に示されている。
【００３３】
その後、図１０に示されるように、もう一つ別のバネ２０ともう一つ別の第二キャップ１０ｂが組み立て品に追加される。特に、図１０に示されるように、バネ２０は、矢印Ｉの方向に動かされて、組み立て品の中に設置される。同様に、キャップ１０ｂが、組み立て品内部に、矢印Ｊの方向に動かすことによって組む立て品の中に設置される。その後。図１１に示されるように、第二バングル１０４は、第二バングル１０４が組み立て品の第一バングル１０２に係合し得るように、矢印Ｋの方向に平行移動することによって組み立て品に追加される。
【００３４】
上述の工程は、図１２に示されるように、交互パターンでブレスレット１００を形成する全てのバングル１０２、１０４が完全なブレスレットを形成するまで繰り返される。図１２に最もよく示されるように、バングル１０２、１０４の合計数は、三十（３０）に等しくしてもよい。しかしながら、バングルの数は、バングルの大きさに依存して、より多く、又はより少ないバングルが使用されてもよい。図１２に示されるように、交互バングル１０２、１０４の配列が試験される。特に、図１２で示されるように組み立て完了後、各一対のバングル１０２、１０４は、望ましくは、互いの略中点に延びている。バングル１０２、１０４の間の、例えば、配列若しくは空隙（ギャップ）のような許容誤差が調べられる。その後、組み立てリング３０は、例えば、切り離すことによって、連結あるいは配設されているバングル１０２、１０４から取り外されて、ブレスレット１００が完成する。
【００３５】
使用中、人は、バングル１０２、１０４内のバネ２０を伸ばすように、ブレスレット１００の末端を引くことによってブレスレット１００の直径を拡大してもよい。ブレスレット１００の直径の拡大は、人の手首にブレスレット１００を嵌めることを容易にする。ブレスレット１００に与えられていた引っ張る力が緩められれば、バネ２０が、ブレスレット１００を元に、静止条件で遷移後退させるように働く。静止状態で、バングル１０２、１０４の間の空隙若しくは空間は、最小となり、ブレスレット１００は、一体構造の外見を有してもよい。
【００３６】
付帯図を参照する本開示の好ましい実施形態の少なくとも一つを記載したものであって、発明はこれらの正確な実施態様に制限されるものではなく、いろいろな修飾および変化が本発明の精神の範囲を逸脱することなくここで開示されたシステムで成立する。従って、添付請求項およびそれらの同等物の範囲ないという条件であれば、本開示は、本開示の修飾および変化をカバーすることを目的としている。
【図１】
2018518204.tif 000003
【図２Ａ】
2018518204.tif 000004
【図２Ｂ】
2018518204.tif 000005
【図３】
2018518204.tif 000006
【図４Ａ】
2018518204.tif 000007
【図４Ｂ】
2018518204.tif 000008
【図５】
2018518204.tif 000009
【図６】
2018518204.tif 000010
【図７】
2018518204.tif 000011
【図８】
2018518204.tif 000012
【図８Ａ】
2018518204.tif 000013
【図９Ａ】
2018518204.tif 000014
【図９Ｂ】
2018518204.tif 000015
【図９Ｃ】
2018518204.tif 000016
【図１０】
2018518204.tif 000017
【図１１】
2018518204.tif 000018
【図１２】
2018518204.tif 000019
【国際調査報告】
2018518204.tif 000020
2018518204.tif 000021